(57)【特許請求の範囲】
【請求項１】
ノズル本体の上部開口部に、環部材を嵌入し得る嵌合凹部を設け、この嵌合凹部に嵌入される環部材にはノズル本体の通水路と連通する散水路と、弁筒が挿通される挿通孔とを設け、この挿通孔には前記弁筒の頭部が係止する係止段部を設け、この弁筒を前記ノズル本体の内壁部に設けた弁筒挿通部に配設すると共にこの弁筒の周面には前記弁筒挿通部の内面部に形成した螺合部と螺合する螺子部を設け、この弁筒を前記環部材の挿通孔に挿通して前記螺子部と螺合部とを螺合することで、前記環部材を前記ノズル本体の嵌合凹部に押さえ込み状態に止着嵌合すると共に、この弁筒が前記弁筒挿通部に配設されて前記ノズル本体の通水路をこの弁筒を介して上流側通水路と下流側通水路とに止水状態に分割する構成とし、この上流側通水路と下流側通水路との導水路としての弁筒に、弁機構により開閉する弁口を設け、この弁口を開弁することで前記上流側通水路と下流側通水路とを連通して前記下流側通水路と連通する散水路から散水を行えるように構成し、且つ、前記弁筒挿通部を上流側弁筒挿通部と下流側弁筒挿通部とに分割した構成とし、この上流側弁筒挿通部と下流側弁筒挿通部との間の前記下流側通水路である中央通水空間部と、前記ノズル本体の上部開口部とを連通する清掃用通水部を前記下流側弁筒挿通部に設け、前記弁筒の螺子部を螺合する前記螺合部をこの下流側弁筒挿通部の内壁部に形成し、前記弁筒を螺動操作して、この弁筒の螺子部を前記下流側弁筒挿通部の内壁部の前記螺合部に螺合させたまま、この弁筒を上流側弁筒挿通部から抜出すると共に前記環部材を前記ノズル本体の上部開口部から離間せしめて、上流側弁筒挿通部が開放して前記上流側通水路の水を下流側通水路である中央通水空間に通水し前記下流側弁筒挿通部に設けた前記清掃用通水路を介してノズル本体の開放された上部開口部から外部に導出させ得るように前記弁筒及び前記弁筒挿通部を構成したことを特徴とする散水ノズル。
【請求項２】
前記弁筒挿通部の下流側弁筒挿通部は、前記ノズル本体の内壁部の一部を内方突出状態に形成すると共に突出端面に前記螺合部を形成してこのノズル本体内に設けた構成とし、この下流側弁筒挿通部に切り欠き孔若しくは肉抜き孔を形成して前記清掃用通水路をこの下流側弁筒挿通部に設けた構成としたことを特徴とする請求項１記載の散水ノズル。
【請求項３】
前記弁筒挿通部の上流側弁筒挿通部は、ノズル本体の前記下流側弁筒挿通部よりも下方側にして上流側位置の内壁部の一部を内方に突出状態に形成してこのノズル本体内に設けた構成としたことを特徴とする請求項１，２のいずれか１項に記載の散水ノズル。
【請求項４】
前記弁筒を螺動操作して、この弁筒の螺子部を前記螺合部に螺合させたまま、この弁筒を上流側弁筒挿通部から抜出することで、上流側弁筒挿通部が開放して前記上流側通水路の水を下流側通水路である中央通水空間に通水し前記清掃用通水路を介してノズル本体の開放された上部開口部から外部に少なくとも散水時よりも増大な流量でノズル本体内から外方に水を導出させ得るように、前記弁筒の螺子部及びノズル本体の螺合部の形成ストロークを長く設定して、この弁筒の螺子部を前記螺合部に螺合させたままこの弁筒を上下に螺動できるストローク範囲を長く設定したことを特徴とする請求項１〜３のいずれか１項に記載の散水ノズル。
【発明の詳細な説明】
【技術分野】
【０００１】
本発明は、例えば路面に埋設され、この路面上に散水を行う散水ノズルに関するものである。
【背景技術】
【０００２】
地面に埋設し消雪を行う散水ノズルとしては、例えば、本出願人の先願である特開２００５−１９９２７３号公報に開示されているように、ノズル本体の上部開口部に、環部材を嵌入し得る嵌合凹部を設け、この環部材にはノズル本体の通水路と連通して水の噴出方向及び噴出角度を規定する散水路を形成すると共に、弁筒が挿通される挿通孔を形成し、この挿通孔には前記弁筒の頭部が係止する係止段部を設け、この弁筒の下端部周面には前記ノズル本体の内壁部に形成された螺合部と螺合する螺子部を設け、この弁筒を前記環部材の挿通孔に挿通し、前記螺子部を螺合部と螺合することで前記ノズル本体に環部材を押さえ込み状態に止着嵌合した構成とされ、この弁筒に設けた弁機構により開閉する弁口の開閉調整により散水量を調節して環部材の散水路から散水できるように構成したものがある。
【０００３】
この散水ノズルは、例えば、地面に埋設された一本の送水管にこの散水ノズルを複数個、並設状態に接続して、夫々の散水量が均一となるように弁機構により散水量を各々調整して使用される。
【０００４】
ところで、この種の散水ノズルは、ノズル本体内の通水路に砂や泥などのゴミが残存し易く、このゴミが例えば散水路や弁口などの目詰まりを生じさせ、散水量が減ったり完全に散水が停止してしまうなどの散水不良の原因となる。
【０００５】
そこで、従来から、ノズル本体内から環部材と弁筒とを取り外して、このノズル本体内の砂や泥をノズル本体内から流し出すというノズル清掃作業が行われている。具体的には、先ず送水管の送水ポンプの運転を停止し、次いでノズル本体から環部材と弁筒とを脱嵌し、次いで送水ポンプを運転させノズル本体に送水し、このノズル本体内の砂や泥を流し、次いで再び送水ポンプを停止し、ノズル本体内に環部材と弁筒とを螺合止着するという非常に手間のかかる作業が実施される。
【０００６】
尚、例えば送水ポンプを運転させたまま（送水状態のまま）ノズル本体内から環部材や弁筒を抜出しようとした場合、螺動操作によってノズル本体の螺合部と弁筒の螺子部との螺合状態が解除された途端に、強力な送水圧によりノズル本体内から環部材や弁筒が勢い良く飛び出し作業者にとって危険な場合があり、しかもこの際、ノズル本体の上部開口部からゴミの混じった汚水が勢い良く上方に噴き上がって作業者にかかってしまう懸念もあり、また、一度ノズル本体内から取り外した環部材や弁筒を、この送水状態のまま、送水圧に抗ってノズル本体内に嵌挿して取り付ける作業も困難といえる。従って、やはりノズル清掃を行うべくノズル本体から環部材や弁筒を取り外したり、取り付けたりする作業を行う場合は、どうしても送水ポンプを一々停止させたり運転させたりしていた。
【０００７】
このように、従来、この種の散水ノズルにおいては、ノズル清掃作業を行う際、一々送水ポンプを停止したり運転したりする作業が必須で、この点、作業性が悪く非常に厄介な上に、送水ポンプの運転中、即ち散水を行っている最中に目詰まりしている散水ノズルを発見しても散水中なのでノズル清掃は行えず、どうしてもノズル清掃を行いたい場合には送水ポンプの運転を一時停止させ、その間、この送水ポンプを接続した送水管に接続されている複数個の散水ノズル全ての散水を一時停止させなければ清掃が行えないなど、非常に不便で、実用上の大きな問題点である。
【０００８】
【特許文献１】特開２００５−１９９２７３号公報
【発明の開示】
【発明が解決しようとする課題】
【０００９】
本発明は、上記の問題点に鑑みて完成したものであって、ノズル本体の螺合部に螺合した弁筒を螺動操作するだけで、この弁筒をノズル本体から取り外すことなく、このノズル本体に螺合状態（抜け止め状態）としたままノズル本体内の例えば砂や泥などのゴミを上部開口部から流し出す清掃作業が行え、よって、ノズル清掃作業を行う際、例えばノズル本体内から環部材や弁筒を取り外したり、清掃作業後に再びノズル本体内に環部材や弁筒を嵌挿して取り付けたりといった作業が不要なので、この取り付け・取り外し時に必須だった送水ポンプの停止も不要で、しかもノズル本体の上部開口部から汚水が噴き上がり作業者にかかる心配もないなど、極めて作業性良く簡便にノズル清掃作業を行える画期的な散水ノズルを提供することを課題とする。
【課題を解決するための手段】
【００１０】
添付図面を参照して本発明の要旨を説明する。
【００１１】
ノズル本体１の上部開口部１ａに、環部材２を嵌入し得る嵌合凹部３を設け、この嵌合凹部３に嵌入される環部材２にはノズル本体１の通水路４と連通する散水路６と、弁筒８が挿通される挿通孔７とを設け、この挿通孔７には前記弁筒８の頭部８ａが係止する係止段部７ａを設け、この弁筒８を前記ノズル本体１の内壁部に設けた弁筒挿通部14に配設すると共にこの弁筒８の周面には前記弁筒挿通部14の内面部に形成した螺合部９と螺合する螺子部10を設け、この弁筒８を前記環部材２の挿通孔７に挿通して前記螺子部10と螺合部９とを螺合することで、前記環部材２を前記ノズル本体１の嵌合凹部３に押さえ込み状態に止着嵌合すると共に、この弁筒８が前記弁筒挿通部14に配設されて前記ノズル本体１の通水路４をこの弁筒８を介して上流側通水路４Ａと下流側通水路４Ｂとに止水状態に分割する構成とし、この上流側通水路４Ａと下流側通水路４Ｂとの導水路としての弁筒８に、弁機構により開閉する弁口11を設け、この弁口11を開弁することで前記上流側通水路４Ａと下流側通水路４Ｂとを連通して前記下流側通水路４Ｂと連通する散水路６から散水を行えるように構成し、且つ、前記弁筒挿通部14を上流側弁筒挿通部14Ａと下流側弁筒挿通部14Ｂとに分割した構成とし、この上流側弁筒挿通部14Ａと下流側弁筒挿通部14Ｂとの間の前記下流側通水路４Ｂである中央通水空間部15と、前記ノズル本体１の上部開口部１ａとを連通する清掃用通水部16を前記下流側弁筒挿通部14Ｂに設け、前記弁筒８の螺子部10を螺合する前記螺合部９をこの下流側弁筒挿通部14Ｂの内壁部に形成し、前記弁筒８を螺動操作して、この弁筒８の螺子部10を前記下流側弁筒挿通部14Ｂの内壁部の前記螺合部９に螺合させたまま、この弁筒８を上流側弁筒挿通部14Ａから抜出すると共に前記環部材２を前記ノズル本体１の上部開口部１ａから離間せしめて、上流側弁筒挿通部14Ａが開放して前記上流側通水路４Ａの水を下流側通水路４Ｂである中央通水空間15に通水し前記下流側弁筒挿通部14Ｂに設けた前記清掃用通水路16を介してノズル本体１の開放された上部開口部１ａから外部に導出させ得るように前記弁筒８及び前記弁筒挿通部14を構成したことを特徴とする散水ノズルに係るものである。
【００１２】
また、前記弁筒挿通部14の下流側弁筒挿通部14Ｂは、前記ノズル本体１の内壁部の一部を内方突出状態に形成すると共に突出端面に前記螺合部９を形成してこのノズル本体１内に設けた構成とし、この下流側弁筒挿通部14Ｂに切り欠き孔若しくは肉抜き孔を形成して前記清掃用通水路16をこの下流側弁筒挿通部14Ｂに設けた構成としたことを特徴とする請求項１記載の散水ノズルに係るものである。
【００１３】
また、前記弁筒挿通部14の上流側弁筒挿通部14Ａは、ノズル本体１の前記下流側弁筒挿通部14Ｂよりも下方側にして上流側位置の内壁部の一部を内方に突出状態に形成してこのノズル本体１内に設けた構成としたことを特徴とする請求項１，２のいずれか１項に記載の散水ノズルに係るものである。
【００１４】
また、前記弁筒８を螺動操作して、この弁筒８の螺子部10を前記螺合部９に螺合させたまま、この弁筒８を上流側弁筒挿通部14Ａから抜出することで、上流側弁筒挿通部14Ａが開放して前記上流側通水路４Ａの水を下流側通水路４Ｂである中央通水空間15に通水し前記清掃用通水路16を介してノズル本体１の開放された上部開口部１ａから外部に少なくとも散水時よりも増大な流量でノズル本体１内から外方に水を導出させ得るように、前記弁筒８の螺子部10及びノズル本体１の螺合部９の形成ストロークを長く設定して、この弁筒８の螺子部10を前記螺合部９に螺合させたままこの弁筒８を上下に螺動できるストローク範囲を長く設定したことを特徴とする請求項１〜３のいずれか１項に記載の散水ノズルに係るものである。
【発明の効果】
【００１５】
本発明は上述のように構成したから、例えば路面などに埋設し、弁筒に設けた弁機構により弁口を開口して散水路から散水を行えることは勿論、弁筒を螺動操作することで、この弁筒の螺子部をノズル本体の内壁部（下流側弁筒挿通部の内壁部）の螺合部と螺合した状態のまま、弁筒を挿通していた上流側弁筒挿通部から弁筒を抜出してこの上流側弁筒挿通部を開放し、この上流側弁筒挿通部の開放により、前記弁筒を介して止水状態に分割されたノズル本体の上流側通水路と下流側通水路とを、この弁筒の弁口を介さずとも連通した状態にできる。また、この弁筒の螺動操作に伴って、ノズル本体の上部開口部の嵌合凹部に押さえ込み状態に止着嵌合していた環部材の押さえ込みも解除され、環部材と嵌合凹部との間に間隙を生じさせノズル本体の上部開口部を開口状態にできる。
【００１６】
即ち、散水時の通水経路は、上流側通水路と下流側通水路とが導水路としての弁筒の弁口を介してのみしか通水しておらず、散水には十分でも、ノズル本体内の砂や泥を流し出すには不十分な流量しか得られない。これに対し、上記の通り弁筒を螺動操作した場合は、上流側通水路と下流側通水路とを弁筒を介さずに直接的に連通させ、且つノズル本体の上部開口部も開放した状態（以下、清掃用開放状態）とすることができ、それだけ散水時に比して増大な流量が得られ、このノズル本体内の例えば砂や泥などのゴミを上部開口部から外部に流し出すことも可能である。
【００１７】
その上、弁筒を螺動操作して上記の清掃用開放状態とした場合にも、弁筒はノズル本体に対して螺合状態（抜け止め状態）であり、例えば従来例のように、ノズル清掃作業を行う際に一々弁筒の螺子部をノズル本体の螺合部から螺脱し、このノズル本体内から弁筒や環部材を取り出す必要はない（即ち、従来の散水ノズルは、図４に図示したように、弁筒を介して止水状態に分割した上流側通水路と下流側通水路とを、弁筒を介さずに直接連通させるためには、構造上、弁筒の下端部周面に形成した螺子部をノズル本体内の弁筒挿通部の内壁部に形成した螺合部から螺脱し、この弁筒挿通部から弁筒を抜出しなければならない。）。
【００１８】
よって、これまではノズル清掃作業を行う場合、ノズル本体内から弁筒や環部材を取り出すために送水ポンプの運転を一々停止させなければならなかったところ、本発明においては、ノズル本体から環部材や弁筒を取り出さず、螺合状態（抜け止め状態）のままノズル本体内からゴミを流し出すことができ、しかもこの際、ノズル本体の開放された上部開口部の少し離れた上方位置に環部材が位置されているので、ノズル本体の上部開口部から汚水が真上に勢い良く噴き上がって作業者にかかる心配も無いなど、厄介なノズル清掃作業を簡便に実施でき、例えば一本の送水管に接続された複数個の散水ノズルのうちの一つが目詰まりしていた場合に、これまでのように送水ポンプの運転を停止し送水管に接続された全ての散水ノズルからの散水を停止させる必要は無く、送水状態のまま目詰まりした散水ノズルだけを良好に清掃できるなど、極めて実用性に秀れた画期的な散水ノズルとなる。
【発明を実施するための最良の形態】
【００１９】
好適と考える本発明の実施形態（発明をどのように実施するか）を、図面に基づいて本発明の作用を示して簡単に説明する。
【００２０】
ノズル本体１を例えば路面や地面などに埋設する。
【００２１】
このノズル本体１の通水路４は弁筒８を介して上流側通水路４Ａと下流側通水路４Ｂとに止水状態に分割されており、この弁筒８の弁機構よりこの弁筒８の弁口11を開口することで、前記上流側通水路４Ａと下流側通水路４Ｂとが連通し、この下流側通水路４Ｂと連通する散水路６から散水が行えることとなる。
【００２２】
また、弁筒８は、ノズル本体１の上部開口部１ａに設けた嵌合凹部３に嵌入される環部材２に設けた嵌挿孔７にこの弁筒８を嵌挿し、この弁筒８を前記ノズル本体１の内壁部に設けた弁筒挿通部14に配設し、この弁筒挿通部14に形成した螺合部９と、弁筒８の周面に設けた螺子部10とを螺合してこのノズル本体１に設けている。この弁筒８の頭部８ａは前記環部材２の挿通孔７の係止段部７ａに係止しており、この弁筒８をノズル本体１に締め付け螺合することで前記環部材２は嵌合凹部３に押さえ込み状態に止着嵌合されている。
【００２３】
従って、弁筒８をノズル本体１から取り出す方向（上方向）に螺動操作すると、環部材２も嵌合凹部３に対して押さえ込み止着が解除され、ノズル本体１の上部開口部１ａに対して離間上動し、この上部開口部１ａが開放状態となる。
【００２４】
また、弁筒８は、螺子部10を弁筒挿通部14の下流側弁筒挿通部14Ｂに形成した螺合部９に螺合しており、この螺合部９と前記螺子部10とを螺合状態としたまま、この弁筒８を螺動操作して、この弁筒８を上流側弁筒挿通部14Ａから抜出することで上流側弁筒挿通部14Ａが開放し、前記上流側通水路４Ａの水が下流側通水路４Ｂである中央通水空間15に通水し、この中央通水空間15とノズル本体１の上部開口部１ａとを連通する清掃用通水路16を介して、ノズル本体１の開放された上部開口部１ａから外部に導出させ得るようになる。
【００２５】
その上、この弁筒８は、周面に設けた螺子部10を、上流側と下流側とに分割された弁筒挿通部14の下流側弁筒挿通部14Ｂに形成された螺合部９と螺合しているので、たとえ上述のように弁筒８を螺動操作して上流側弁筒挿通部14Ａから抜出してこの上流側弁筒挿通部14Ａを開放しても（上流側通水路４Ａと下流側通水路４Ｂとを弁筒８を介さずに連通した状態としても）弁筒８とノズル本体１との螺合状態（抜け止め状態）は保持されたままである。
【００２６】
よって、本発明は、ノズル本体１から弁筒８を螺脱してこの弁筒８や環部材２をノズル本体１内から取り出す必要がなく、弁筒８をノズル本体１に螺合状態（抜け止め状態）としたまま、ノズル本体内に勢い良く水を流通させ上部開口部から砂や泥などのゴミを流し出すことができることとなる。また、環部材２がノズル本体１の上部開口部１ａから退避上動してこの上部開口部１ａからやや離れた上方に位置しているので、ノズル本体１の上部開口部１ａから汚水が真上に勢い良く噴き上がって作業者にかかる心配も無いなど、厄介なノズル清掃作業を簡便に実施できることとなる。
【００２７】
また、特に、例えば前記弁筒８の螺子部10及びノズル本体１の螺合部９の形成ストロークを長く設定し、これにより、この弁筒８の螺子部10を前記螺合部９に螺合させたままの状態で上下に螺動できるストローク範囲をそれだけ長く設定した構成とすれば、上述したように、前記弁筒８を螺動操作して、この弁筒８の螺子部10を前記螺合部９に螺合させたまま、この弁筒８を上流側弁筒挿通部14Ａから抜出することで、上流側弁筒挿通部14Ａが開放して前記上流側通水路４Ａの水を下流側通水路４Ｂである中央通水空間15に通水し前記清掃用通水路16を介してノズル本体１の開放された上部開口部１ａから外部に水を導出させる場合に、それだけ弁筒８を上方に大きく螺動させ上流側弁筒挿通部14Ａを大きく開放でき、更に環部材２もノズル本体１の上部開口部１ａから大きく退避上動させそれだけこの上部開口部１ａも大きく開放でき、よって、一層ノズル本体１内に増大な流量で水を通水させ得ることとなり、ひいては、少なくとも散水時よりも増大な、例えばノズル本体１内の砂や泥などのゴミを上部開口部１ａから確実に流し出せるような良好な流量でノズル本体１内に水を通水させることを一層確実に達成できることとなる。
【００２８】
また、例えば、前記弁筒挿通部14の下流側弁筒挿通部14Ｂは、前記ノズル本体１の内壁部の一部を内方突出状態に形成すると共に突出端面に前記螺合部９を形成してこのノズル本体１内に設けた構成とし、この下流側弁筒挿通部14Ｂに切り欠き孔若しくは肉抜き孔を形成して前記清掃用通水路16をこの下流側弁筒挿通部14Ｂに設けた構成とすれば、ノズル本体１の内壁部の形状を適宜な突出形状とするだけで簡易にこのノズル本体１内に下流側弁筒挿通部14Ｂを設けることができ、更にこの突出状態の内壁部に切り欠き孔若しくは肉抜き孔を形成してこれを前記清掃用通水路16とすることで、前記下流側通水路４Ａである中央通水空間部15とノズル本体１の上部開口部１ａとを良好に通水状態とできる清掃用通水路16をノズル本体１内に簡易に形成できるなど、簡易に設計実現可能な一層実用性に秀れた構成となる。
【００２９】
また、例えば、前記弁筒挿通部14の上流側弁筒挿通部14Ａは、ノズル本体１の前記下流側弁筒挿通部14Ｂよりも下方側にして上流側位置の内壁部の一部を内方に突出状態に形成してこのノズル本体１内に設けた構成とした場合には、ノズル本体１の内壁部の形状を適宜な突出形状とするだけで簡易にこのノズル本体１内に上流側弁筒挿通部14Ａを設けることができ、簡易に設計実現可能な一層実用性に秀れた構成となる。
【実施例】
【００３０】
本発明の具体的な実施例について図面に基づいて説明する。
【００３１】
本実施例は、ノズル本体１の上部開口部１ａに、環部材２を嵌入し得る嵌合凹部３を設け、この嵌合凹部３に嵌入される環部材２にはノズル本体１の通水路４と連通する散水路６と、弁筒８が挿通される挿通孔７とを設け、この挿通孔７には前記弁筒８の頭部８ａが係止する係止段部７ａを設け、この弁筒８を前記ノズル本体１の内壁部に設けた弁筒挿通部14に配設すると共にこの弁筒８の周面には前記弁筒挿通部14の内面部に形成した螺合部９と螺合する螺子部10を設け、この弁筒８を前記環部材２の挿通孔７に挿通して前記螺子部10と螺合部９とを螺合することで、前記環部材２を前記ノズル本体１の嵌合凹部３に押さえ込み状態に止着嵌合すると共に、この弁筒８が前記弁筒挿通部14に配設されて前記ノズル本体１の通水路４をこの弁筒８を介して上流側通水路４Ａと下流側通水路４Ｂとに止水状態に分割する構成とし、この上流側通水路４Ａと下流側通水路４Ｂとの導水路としての弁筒８に、弁機構により開閉する弁口11を設け、この弁口11を開弁することで前記上流側通水路４Ａと下流側通水路４Ｂとを連通して前記下流側通水路４Ｂと連通する散水路６から散水を行えるように構成した散水ノズルである。
【００３２】
図１〜３に図示したように、弁筒挿通部14は、上流側弁筒挿通部14Ａと下流側弁筒挿通部14Ｂとに分割した構成である。
【００３３】
また、この弁筒挿通部14の下流側弁筒挿通部14Ｂは、図１〜３に図示したように、前記ノズル本体１の内壁部の一部を内方突出状態に形成して中央部に下流側弁筒挿通孔14ｂを形成すると共に、この下流側弁筒挿通部14Ｂの突出端面にして下流側弁筒挿通孔14ｂの内面である部位に前記螺合部９を形成した構成である。
【００３４】
また、前記下流側通水路４Ｂにして、上流側弁筒挿通部14Ａと下流側弁筒挿通部14Ｂとの間の空間を中央通水空間部15とすると、この中央通水空間部15と前記ノズル本体１の上部開口部１ａとが連通するように清掃用通水部16をこの下流側弁筒挿通部14Ｂに設けている。具体的には、図３に図示したように、この下流側弁筒挿通部14Ｂに、切り欠き孔若しくは肉抜き孔を形成して（本実施例においては、図３のようにノズル本体１の下流側弁筒挿通部14Ｂを形成する突出状の内壁部に肉抜き孔を周方向に所定間隔を置いて複数形成して）、これを前記清掃用通水路16とする。
【００３５】
また、この弁筒挿通部14の上流側弁筒挿通部14Ａは、図１〜３に図示したように、ノズル本体１の前記下流側弁筒挿通部14Ｂよりも下方側にして上流側位置の内壁部の一部を内方に突出状態に形成して中央部に弁筒８が略合致する孔形状を有する上流側弁筒挿通孔14ａを形成してこのノズル本体１内に設けた構成である。
【００３６】
また、このノズル本体１は、ノズル本体１の下部にして上流側通水路４Ａを、送水管の枝管（送水管から各散水ノズルを接続するために立設される管）に被嵌するための枝管被嵌部とし、この枝管被嵌部26の天部を前記上流側弁筒挿通部14Ａとしている。
【００３７】
従って、ノズル本体１の上流側通水路４である枝管被嵌部26を送水管に立設される枝管に被嵌してこのノズル本体１を送水管に接続する。
【００３８】
尚、図中、符号25は、ノズル本体１の前記枝管被嵌部26を送水管の枝管に被嵌した際に、止水状態に密着嵌合し得るようにこのノズル本体１の上流側通水路４Ａ内壁部にして枝管被嵌部26内面部に付設した弾性材25である。
【００３９】
本実施例は、前記弁筒８の螺子部10を螺合する前記螺合部９をこの下流側弁筒挿通部14Ｂの内壁部に形成し、図２に図示したように、前記弁筒８を螺動操作（ノズル本体１から弁筒８を取り出す方向、即ち弁筒８が上動するように螺動操作）して、この弁筒８の螺子部10を前記螺合部９に螺合させたまま、この弁筒８を上流側弁筒挿通部14Ａから抜出することで、上流側弁筒挿通部14Ａが開放して前記上流側通水路４Ａの水を下流側通水路４Ｂである中央通水空間15に通水し前記清掃用通水路16を介してノズル本体１の開放された上部開口部１ａから外部に導出させ得るように構成している。
【００４０】
また、本実施例の弁筒８は、具体的には、図３に図示したように、周面に弁用孔17ａを設けた外筒体17に、周面に弁用孔18ａを設けた内筒体18を嵌入し、この内筒体18の上方周面に周設した凹条18ｂに、前記外筒体17の周面に設けたピン挿通孔19を介して挿通した止着ピン20の先端を差し込み配設してこの外筒体17内に内筒体18を相対回動自在に抜け止め嵌挿した構成とする。この弁筒８の弁口11は、前記外筒体17の弁用孔17ａと内筒体18の弁用孔18ａとから成り、この弁筒８の弁機構は、前記外筒体17に対して内筒体18を相対回動させて外筒体17の弁用孔17ａと内筒体の弁用孔18ａとを位置重合せしめることで弁口11を開口し、この弁口11を構成する弁用孔17ａと弁用孔18ａとの位置重合度合いを可変調整することでこの弁口11の開口量を調整するように構成する。
【００４１】
尚、この弁筒８の前記外筒体17の天部を径大に形成して、環部材２の挿通孔７の係止段部７ａと係止する頭部８ａを設けた構成とする。また、図中、18ｃは、ドライバなどの回動工具を差し込んで、外筒体17に対して内筒体18を相対回動させるための差し込み孔18ｃであり、図中21は、外筒体17と内筒体18との間隙から水漏れが生ずることを阻止すべくこの内筒体18の前記凹条18ｂの上下位置に被嵌した弾性を有するＯリング21である。
【００４２】
また、この弁筒８の外筒体17の下部（下端部）周面には弾性を有するＯリング22を被嵌して、図１に図示したように、この弁筒８の下端部を、上流側弁筒挿通部14Ａに挿通配設した際に、この弁筒８の下端部にして前記外筒体17の周面に被嵌したＯリング22がこの上流側弁筒挿通部14Ａ内面と弾圧当接して、完全に止水状態に密着当接するように構成している。
【００４３】
また、本実施例では、弁筒８の螺子部10及びノズル本体１の螺合部９の形成ストロークを長く設定し、この弁筒８の螺子部10を前記螺合部９に螺合させたまま、この弁筒８が上下方向に螺動可能なストローク範囲が長くなるように設定している。
【００４４】
従って弁筒８には下端側から上端側までできるだけ長い形成ストロークに前記螺子部10を形成している。具体的には、弁筒８の外筒体17の下端側にして前記Ｏリング22を設けた部位の直上部位から上端側まで至る長い形成ストロークに設定している。尚、本実施例では、図３に図示したように、この弁筒８の外筒体17の垂下途中位置の一部に、螺子部10を形成しない螺子非形成部23を設けて、これを前記弁口11（を構成する外筒体17の弁用孔17ａ）を形成するための弁口形成スペースとしている。
【００４５】
また、この螺子非形成部23の上下ストロークは、前記ノズル本体１の下流側弁筒挿通部14Ｂに形成した螺合部９の形成ストロークよりも短く設定している。
【００４６】
従って、図２に図示したように、この弁筒８の周面の前記螺子非形成部23がノズル本体１の螺合部９と対面する位置にきても、この弁筒８の螺子部10の前記螺子非形成部23を介して上側の螺子部10か、下側の螺子部10の何れか一方若しくは双方が確実に螺合部９と螺合状態となるように構成している。
【００４７】
尚、この螺子非形成部23を設けず、弁筒８の外筒体17の下端側から上端側まで連続して螺子部10を形成し、この螺子部10の一部に弁口11（を構成する弁用孔17ａ）を穿設する構成としても良いが、この場合は、弁用孔17ａを穿設する際に周囲の螺子部10の螺子山形状を変形させてしまう懸念などがあり弁用孔17ａの形成が面倒であるが、この点、本実施例は弁口形成スペースとしての螺子非形成部23を設けているので、弁用孔17ａを簡易に形成できる。しかも上記の通り、螺子非係止部23のストロークを螺合部９の形成ストロークより短く設定すれば、この螺子非形成部23によって螺合状態が阻害されることも無い。
【００４８】
従って本実施例は、弁筒８の上下に長い形成ストロークにわたって螺子部10を形成しているので、この弁筒８を螺動操作し、この弁筒８の螺子部10を前記螺合部９に確実に螺合させた状態を保持したまま、この弁筒８を大きく上方に螺動させることができ、それに伴って環部材２もノズル本体１の上部開口部１ａからそれだけ大きく退避上動させることができる。即ち、弁筒８とノズル本体１とを螺脱させることなく、上流側弁筒挿通部14Ａを大きく開放でき、且つノズル本体１の上部開口部１ａを大きく開口できる。
【００４９】
よって、この弁筒８を大きく上方に螺動操作した際に、それだけ通水経路の通水抵抗が少なく、散水時に比して増大な流量でこのノズル本体１内に通水が行える。
【００５０】
また、図３及び図４は、本実施例の散水ノズルを分解した状態を図示したものであって、図３に図示したように、外筒体17に内筒体18を嵌入止着してなる弁筒８を、環部材２の挿通孔７に挿通して、この挿通孔７の内面の係止段部７ａと弁筒８の頭部８ａとを当接係止させ、更にこの挿通孔７内にＣリング13Ａを加締めた状態で嵌入し、加締め状態を解除することでこのＣリング13Ａを挿通孔７の内壁面に周設した凹条13Ｂに嵌め込み配設し、図１に図示したように、この凹条13Ｂから突出するＣリング13Ａにより挿通孔７内の前記弁筒８の頭部８ａを抜け止め状態に当接係止した構成とする。更に、この環部材２を抜け止状態に設けた弁筒８を、図４に図示したようにノズル本体１の上部開口部１ａからノズル本体１内に嵌挿して前記螺子部10をノズル本体１の螺合部９に螺合してこのノズル本体１に弁筒８及び環部材２を螺合止着する構成である。
【００５１】
また、環部材２に設けた散水路６は、図３に図示したように、環部材２の周面に凹溝を形成してこの環部材２の周面に設けた構成とし、散水時には、前記天部材１の上部開口部１ａの嵌合凹部３と、この凹溝状の散水路６との間隙を通水する。尚、この環部材２の下部には、前記ノズル本体１内の下流側弁筒挿通部14Ｂの清掃用通水部16内に嵌挿してこの環部材２をノズル本体１に対して周り止めする周り止め突部２ａを突設している。
【００５２】
尚、図中24は弁筒８の内筒体18の差し込み孔18ｃを被覆するように環部材２の挿通孔７に嵌合配設する弾性カバー体24である。
【００５３】
本実施例は、以上のように構成したから、ノズル本体１内に弁筒８及び環部材２を螺合止着すると、図１に図示したように、ノズル本体１の上流側通水路４Ａの上側にして下流側の開口部である上流側弁筒挿通部14Ａの上流側弁筒挿通部14ａに弁筒８の下端部が密着当接状態に嵌挿配設され、ノズル本体１の通水路４が、この弁筒８を介して上流側通水路４Ａと下流側通水路４Ｂとに止水状態に分割される。
【００５４】
ノズル本体１に上流側から送水が合った場合、この弁筒８の弁口11を開弁すると、上流側通水路４Ａの水は前記弁筒８内方を通水して、この弁筒８の弁口11を介し、この弁筒８の外方にしてこの弁筒８とノズル本体１の内壁部との空隙スペースに設けられた下流側通水路４Ｂに導水され、この下流側通水路４Ｂで整流されて上部の散水路６から散水される。
【００５５】
よって、本実施例は、ノズル本体１を例えば路面や地面などに埋設し、弁筒８の弁機構によって散水量を調整して散水路６から路面や地面などに散水を行える。
【００５６】
また、弁筒８を、ノズル本体１から取り出す方向（上方向）に螺動操作することで、図２に図示したように、ノズル本体１の上部開口部１ａに対して離間上動し、この上部開口部１ａが開放状態となると共に、弁筒８の下端部が上流側弁筒挿通部14Ａから抜出して上流側弁筒挿通部14Ａが開放し、上流側通水路４Ａと下流側通水路４Ｂとが前記弁筒８を介さずとも直接連通された状態となる。
【００５７】
この際、この弁筒８は、周面に設けた螺子部10を、上流側と下流側とに分割された弁筒挿通部14の下流側弁筒挿通部14Ｂに形成された螺合部９と螺合しているので、たとえ上述のように弁筒８を螺動操作して上流側弁筒挿通部14Ａから抜出してこの上流側弁筒挿通部14Ａを開放しても（上流側通水路４Ａと下流側通水路４Ｂとを弁筒８を介さずに連通した状態としても）弁筒８とノズル本体１との螺合状態（抜け止め状態）は保持されたままである。
【００５８】
よって、本実施例は、ノズル本体１から弁筒８を螺脱してこの弁筒８や環部材２をノズル本体１内から取り出す必要がなく、弁筒８をノズル本体１に螺合状態（抜け止め状態）としたまま、ノズル本体内に勢い良く水を流通させ上部開口部から砂や泥などのゴミを流し出すことができることとなる。また、環部材２がノズル本体１の上部開口部１ａから退避上動してこの上部開口部１ａからやや離れた上方に位置しているので、ノズル本体１の上部開口部１ａから汚水が真上に勢い良く噴き上がって作業者にかかる心配も無いなど、厄介なノズル清掃作業を簡便に実施できる極めて実用性に秀れた画期的な散水ノズルである。
【００５９】
尚、本発明は、本実施例に限られるものではなく、各構成要件の具体的構成は適宜設計し得るものである。
【図面の簡単な説明】
【００６０】
【図１】本実施例に係る散水ノズルの説明正断面図である。
【図２】本実施例に係る散水ノズルの説明正断面図である。
【図３】本実施例に係る散水ノズルの説明分解斜視図である。
【図４】本実施例に係る散水ノズルの説明分解斜視図である。
【図５】従来例を示す説明図である。
【符号の説明】
【００６１】
１  ノズル本体
１ａ  上部開口部
２  環部材
３  嵌合凹部
４  通水路
４Ａ  上流側通水路
４Ｂ  下流側通水路
６  散水路
７  挿通孔
７ａ  係止段部
８  弁筒
８ａ  頭部
９  螺合部
10  螺子部
11  弁口
14  弁筒挿通部
14Ａ  上流側弁筒挿通部
14Ｂ  下流側弁筒挿通部
15  中央通水空間部
16  清掃用通水部
【図１】
0004741405.tif 000002
【図２】
0004741405.tif 000003
【図３】
0004741405.tif 000004
【図４】
0004741405.tif 000005
【図５】
0004741405.tif 000006